(57)【要約】【課題】    本発明は、ディスクカートリッジを機器装置に装着するまでの間にディスク状記録媒体に記録に不要な光が当たらない構造を有するディスクカートリッジを提供することを目的とするものである。【解決手段】  ディスク状記録媒体を回転自在に収納する上下一対のハーフシェルからなるケース本体と、スライダーと、プラスチック製シャッタを備えたディスクカートリッジにおいて、シャッタの閉状態においてケース本体に形成された駆動軸挿入窓及びヘッドアクセス窓の外周の全周に密着するように凸状リブを形成し、上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することを特徴とする。【選択図】      図１
2006318558.tif 000002
【特許請求の範囲】
【請求項１】
ディスク状記録媒体を回転自在に収納する上下一対のハーフシェルからなるケース本体と、前記ケース本体の前側端縁に沿って摺動可能に設けられたスライダーと、該スライダーに固着されて前記ケース本体に形成された駆動軸挿入窓及びヘッドアクセス窓を一方向に前記ケース本体の表面上を摺動することにより開閉可能としたプラスチック製シャッタを備えたディスクカートリッジにおいて、前記シャッタの前記ケース本体に対向する側に、前記シャッタの閉状態において前記ケース本体に形成された駆動軸挿入窓及びヘッドアクセス窓の外周の全周に密着するように凸状リブを形成し、前記シャッタ閉状態においてディスクカートリッジ厚み方向に少なくとも前記シャッタの自由端部と開方向側の端部及び閉方向側の端部を重ねるように金属製のシャッタ押え板を設け、前記上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することを特徴とするディスクカートリッジ。
【請求項２】
前記シャッタ押え板の前記シャッタと接する側に少なくとも前記シャッタの自由端と重なる部分にシャッタの開閉方向に平行に前記シャッタ閉状態における閉方向側の端部と対向する位置近傍から前記シャッタ開状態の開方向側の端部と閉方向側の端部の中位点と対向する位置近傍まで前記シャッタ側に向かって凸部を設け、該凸部が、前記ケース本体に形成された駆動軸挿入窓及びヘッドアクセス窓の前記シャッタ開方向側の端縁と対向する位置近傍から前記シャッタの開方向に向かって前記凸部の深さが浅くなるように傾斜を設けていることを特徴とする請求項１に記載のディスクカートリッジ。
【請求項３】
前記ケース本体の前記シャッタと接する側に前記シャッタの閉状態における前記シャッタの開方向側の端縁と対向する位置より前記シャッタの開状態における前記シャッタの開方向側の端縁と対向する位置に亘り、前記シャッタの開状態で前記シャッタと対向する部分に、ディスクカートリッジ厚み方向に前記シャッタの閉状態における前記シャッタの開方向側の端縁と対向する位置より前記シャッタの開状態における前記シャッタの開方向側の端縁と対向する位置に向かって下降するように傾斜部を設けていることを特徴とする請求項１ないし請求項２のいずれかに記載のディスクカートリッジ。
【発明の詳細な説明】
【技術分野】
【０００１】
本発明は、ディスク状記録媒体を回転自在に収納するディスクカートリッジに関し、さらに詳しくは、収納されたディスク状記録媒体に対する外部からの遮光性に優れたディスクカートリッジの構造に関するものである。
【背景技術】
【０００２】
高密度画像データなどの容量の大きな情報を書き込み可能な記録媒体として光記録媒体がある。そのような記録媒体としては、光磁気ディスクなどの記録媒体が既に実用化されているが、光記録媒体に対する大容量化への要求は高まる一方である。最近では数１００ギガバイトの大容量化光ディスク技術も研究開発され記録素材にフォトポリマーなどの光感光層を備えた記録媒体が開発されている（例えば特許文献１参照）。このような記録媒体は記録素材に光を当てることで記録が行われるため、記録に不要な光を当てると記録素材が感光する可能性がある。
【０００３】
従来から、光ディスク、光磁気ディスク等の円盤形状をしたディスク状記録媒体を機器装置にローディングするために、ディスク状記録媒体を回転自在に収納するディスクカートリッジが使用されている。ディスクカートリッジには、片面のみ読み書き可能なタイプと両面読み書き可能なタイプがある。シャッタにも（１）ケース本体の両面の対向する位置に形成されたヘッドアクセス窓及び駆動軸挿入窓を略コの字状の一つのシャッタで閉じられた状態に維持するタイプと、（２）ケース本体の両面の対向する位置に形成されたヘッドアクセス窓及び駆動軸挿入窓をそれぞれ独立して一方向へスライド自在に取付けられた断面略Ｌ字状の二つのシャッタからなるタイプとがある。そして、ディスクカートリッジは、未使用時にゴミ等の異物がヘッドアクセス窓及び駆動軸挿入窓から侵入するのを防止する意味のために、ヘッドアクセス窓及び駆動軸挿入窓がシャッタで閉じられた状態を維持するように構成されている（例えば特許文献２参照）
【０００４】
しかしながら、かかるディスクカートリッジでは異物侵入防止はできても、シャッタと上下ハーフシェルからなるケース本体との係合部は平面で重なり部が設けられているだけで、その重なり部から光が侵入し記録素材にあたるという課題がある。また、上下ハーフシェルの係合部からも光が侵入し記録素材にあたり、遮光性を考慮した構造にはなっていない。
【０００５】
【特許文献１】特開２００２−１２３９４９
【特許文献２】実開平３−１０６５７９
【発明の開示】
【発明が解決しようとする課題】
【０００６】
そこで本発明は、上記課題に鑑みてなされたものであり、その目的とするところは、ディスクカートリッジをディスク状記録媒体に記録を行うために機器装置に装着するまでにディスク状記録媒体に光が当たらない構造を有するディスクカートリッジを提供することにある。
【課題を解決するための手段】
【０００７】
本発明は、上記の目的を達成するため、請求項１記載の発明は、ディスク状記録媒体を回転自在に収納する上下一対のハーフシェルからなるケース本体と、前記ケース本体の前側端縁に沿って摺動可能に設けられたスライダーと、該スライダーに固着されて前記ケース本体に形成された駆動軸挿入窓及びヘッドアクセス窓を一方向に前記ケース本体の表面上を摺動することにより開閉可能としたプラスチック製シャッタを備えたディスクカートリッジにおいて、前記シャッタの前記ケース本体に対向する側に、前記シャッタの閉状態において前記ケース本体に形成された駆動軸挿入窓及びヘッドアクセス窓の外周の全周に密着するように凸状リブを形成し、前記シャッタ閉状態においてディスクカートリッジ厚み方向に少なくとも前記シャッタの自由端部と開方向側の端部及び閉方向側の端部を重ねるように金属製のシャッタ押え板を設け、前記上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することを特徴とするものである。
【０００８】
また、請求項２記載の発明は、請求項１に記載のディスクカートリッジにおいて、前記シャッタ押え板の前記シャッタと接する側に少なくとも前記シャッタの自由端と重なる部分にシャッタの開閉方向に平行に前記シャッタ閉状態における閉方向側の端部と対向する位置近傍から前記シャッタ開状態の開方向側の端部と閉方向側の端部の中位点と対向する位置近傍まで前記シャッタ側に向かって凸部を設け、該凸部が、前記ケース本体に形成された駆動軸挿入窓及びヘッドアクセス窓の前記シャッタ開方向側の端縁と対向する位置近傍から前記シャッタの開方向に向かって前記凸部の深さが浅くなるように傾斜を設けていることを特徴とするものである。
【０００９】
また、請求項３記載の発明は、請求項１ないし請求項２のいずれかに記載のディスクカートリッジにおいて、前記ケース本体の前記シャッタと接する側に前記シャッタの閉状態における前記シャッタの開方向側の端縁と対向する位置より前記シャッタの開状態における前記シャッタの開方向側の端縁と対向する位置に亘り、前記シャッタの開状態で前記シャッタと対向する部分に、ディスクカートリッジ厚み方向に前記シャッタの閉状態における前記シャッタの開方向側の端縁と対向する位置より前記シャッタの開状態における前記シャッタの開方向側の端縁と対向する位置に向かって下降するように傾斜部を設けていることを特徴とするものである。
【００１０】
上記のように構成することにより、さらには、上下ハーフシェル及びシャッタに遮光性を備えた素材を使用することにより遮光性に優れたディスクカートリッジとすることができる。
【発明の効果】
【００１１】
従来のディスクカートリッジではディスクカートリッジの外部から記録に不要な光が侵入する主要な部位としてディスクカートリッジを構成する各部品の係合部が挙げられる。
【００１２】
本発明のディスクカートリッジは、請求項１に記載のようにシャッタのケース本体に対向する側に、シャッタの閉状態においてケース本体に形成された駆動軸挿入窓及びヘッドアクセス窓の外周の全周に密着するように凸状リブを形成していることによりケース本体に形成された駆動軸挿入窓及びヘッドアクセス窓部がある上下ハーフシェルとの係合部から侵入する外部光を遮光できる効果を奏するものである。また、上ハーフシェル、下ハーフシェルの各々の内面にディスク状記録媒体の外周側を囲む略円形状のリブを２本以上有し、該リブは高さが異なる段差部を有し、且つ、それぞれのリブの高さが異なり、上ハーフシェルと下ハーフシェルを合わせた際に各々のリブの先端面で接することにより迷路ができ、上ハーフシェルと下ハーフシェルとを合わせて一体化するときの上下ハーフシェル内面の係合部から侵入する外部光を遮光できる効果がある。
【００１３】
また、以下に遮光の度合いに応じて、請求項１及び請求項２に記載のように、シャッタ閉状態においてディスクカートリッジ厚み方向に少なくともシャッタの自由端部と開方向側の端部及び閉方向側の端部を重ねるように金属製のシャッタ押え板を設けることによりシャッタ閉状態においてシャッタの各端部と上下ハーフシェルとの係合部から侵入する光を遮光できる効果がある。さらに、シャッタ押え板のシャッタと接する側に少なくともシャッタの自由端と重なる部分にシャッタの開閉方向に平行にシャッタ閉状態における閉方向側の端部と対向する位置近傍からシャッタ開状態の開方向側の端部と閉方向側の端部の中位点と対向する位置近傍までシャッタ側に向かって凸部を設け、凸部が、ケース本体に形成された駆動軸挿入窓及びヘッドアクセス窓のシャッタ開方向側の端縁と対向する位置近傍から開方向に向かって凸部の深さが浅くなるように傾斜を設けることにより、シャッタ閉状態ではシャッタを上下ハーフシェル側に押し付けるように押圧され、シャッタに設けられた凸部が上下ハーフシェルに一層、密接され、ケース本体に形成された駆動軸挿入窓及びヘッドアクセス窓から侵入する外部光を遮光できる効果がある。また、シャッタ押え板に設けた前記凸部の傾斜により、シャッタ開動作が開始されると同時にシャッタへの押圧が緩和されて容易にシャッタが開けられるという効果がある。
【００１４】
本発明のディスクカートリッジは、請求項３に記載のようにケース本体のシャッタと接する側にシャッタの閉状態におけるシャッタの開方向側の端縁と対向する位置よりシャッタの開状態におけるシャッタの開方向側の端縁と対向する位置に亘り、シャッタの開状態でシャッタと対向する部分に、ディスクカートリッジ厚み方向にシャッタの閉状態におけるシャッタの開方向側の端縁と対向する位置よりシャッタの開状態におけるシャッタの開方向側の端縁と対向する位置に向かって下降するように傾斜部を設けることにより、シャッタの開動作が開始されると同時に、シャッタがケース本体に押圧されている負荷が一気に緩和され、シャッタが容易に開けられるという効果がある。
【００１５】
本発明のディスクカートリッジは、上下ハーフシェル及びシャッタに遮光性素材を用いる或いは、遮光性材料を添加した樹脂を成型することによりケース本体自体及びシャッタ自体からの光侵入を防止できる。
【発明を実施するための最良の形態】
【００１６】
以下に本発明について、図面等を用いて詳述する。
【００１７】
本発明のディスクカートリッジは直進する光を遮る構造にしていることが特徴であり、図１は本発明のディスクカートリッジの斜視図であり、図２は本発明のディスクカートリッジの一実施形態の上ハーフシェル側からのシャッタ閉状態を示す正面図である。図３は本発明のディスクカートリッジのシャッタ開状態を示す背面図である。図４から図６は本発明の構造の要部を示す断面図であり、図４は図２のＡ−Ａ線における断面図である。図５は図２のＢ−Ｂ線における断面図である。図６は図２のＣ−Ｃ線における断面図である。図７は下ハーフシェルの構造を説明するために一部を示した斜視図である。
【００１８】
図１〜図３を用いて本発明の一実施形態を説明する。図１〜図３において符号１はディスクカートリッジである。該ディスクカートリッジ１は上ハーフシェル１０と下ハーフシェル２０からなるケース本体２と、該ケース本体２の前側端縁３に沿って摺動可能に設けられたスライダー（図示せず）と、該スライダーに固着されてケース本体２に形成された上ハーフシェル１０に設けられた駆動軸挿入窓１１及び下ハーフシェル２０に設けられた駆動軸挿入窓及びヘッドアクセス窓２１を一方向に開閉可能なシャッタ３０からなっている。
【００１９】
まず、図４を用いて、シャッタ３０の構成について説明する。図４に示すように、シャッタ３０のケース本体２に対向する側に、シャッタ３０の閉状態において、上ハーフシェル１０に形成された駆動軸挿入窓１１（図２参照）及び下ハーフシェル２０に形成された駆動軸挿入窓及びヘッドアクセス窓２１（図３参照）の全周に密着するように凸状リブ３１を形成しており、ケース本体２に形成された駆動軸挿入窓及びヘッドアクセス窓部がある上下ハーフシェル１０、２０との係合部から侵入する外部光が遮光でき、ディスク状記録媒体４に外部光が当たることを防止できるものである。また、シャッタ３０には、カーボンブラックで黒着色したアクリロニトリル・スチレン・ブタジエン共重合樹脂（ＡＢＳ）、ポリアセタール樹脂（ＰＯＭ）等を用いることができ、図４に示した凸状リブ３１もシャッタ３０の射出成型時に一体成型されるものである。
【００２０】
次に図２、３を用いて、シャッタ押え板４０による遮光について説明する。まず、図２を用いて、上ハーフシェル１０側のシャッタ押え板４０の構造について説明する。図２に示すように、シャッタ押え板４０は、上ハーフシェル１０に設けられた駆動軸挿入窓１１に対向する位置に前記駆動軸挿入窓１１を囲むように略円形の窓４１が設けられ、シャッタ閉状態において、シャッタ３０にディスクカートリッジ厚み方向に重ねるように設ける構造としている。次に、図３を用いて、下ハーフシェル２０側のシャッタ押え板４０の構造について説明する。下ハーフシェル２０側のシャッタ押え板４０は、図３に示すようにシャッタ押え板４０はシャッタ３０の閉位置Ｓにおいて、シャッタの閉方向側の端部３２及び開方向側の端部３３と自由端部３４を重ねるように略Ｕ字状の金属製シャッタ押え板４０を設ける構造としている。その構造によって外部光の遮光が可能である。尚、図３に示した開位置Ｏはシャッタ３０の開状態における位置を示し、閉位置Ｓはシャッタ３０の閉状態における位置を示している。
【００２１】
次に、図２、図５を用いて、シャッタ押え板４０に設けた凸部４４について説明する。図２及び図５に示すように、シャッタ押え板４０のシャッタ３０と接する側にシャッタ３０の自由端部３４と重なる部分にシャッタ３０の開閉方向に平行にシャッタ閉状態における閉方向側の端部と対向する位置近傍４２からシャッタ開状態の開方向側の端部と閉方向側の端部の中位点と対向する位置近傍４３までシャッタ側に向かって凸部４４を設け、さらに、該凸部４４が、ケース本体２に形成された駆動軸挿入窓及びヘッドアクセス窓のシャッタ開方向側の端縁と対向する位置近傍４５から開方向に向かって凸部４４の深さが浅くなるように傾斜部４６を設けている。この構造にすることによりシャッタ３０の凸状リブ３１とケース本体２との隙間及びシャッタ押え板４０との隙間をなくし遮光が可能となるものである。また、前記シャッタ押え板４０に設けた凸部４４の傾斜部４６は、シャッタ３０の開動作が開始されると同時にシャッタ３０への押圧が緩和されて容易にシャッタ３０が開けられるように作用している。尚、本発明の一実施形態では、前記シャッタ押え板４０の凸部４４は、上ハーフシェル１０側には前側にも設け、下ハーフシェル２０側にはシャッタ３０の自由端部３４と重なる部分に設けた。
【００２２】
次に、図６を用いて、ケース本体２に設けられた傾斜部１４について説明する。ケース本体２のシャッタ３０と対向する側にシャッタ３０の閉状態におけるシャッタ３０の開方向側の端縁と対向する位置よりシャッタ３０の開状態におけるシャッタ３０の開方向側の端縁と対向する位置に亘り、シャッタ３０の開状態でシャッタ３０と対向する部分（傾斜部１４に相当）に、ディスクカートリッジ厚み方向にシャッタ３０の閉状態におけるシャッタ３０の開方向側の端縁と対向する位置よりシャッタ３０の開状態におけるシャッタ３０の開方向側の端縁と対向する位置に向かって下降するように傾斜部１４を設けている。このようにケース本体２に傾斜部１４を設けることにより、シャッタ３０の開動作が開始されると同時に、シャッタ３０がケース本体２に押圧されている負荷が緩和され、シャッタ３０が容易に開けられるものである。
【００２３】
次に図６、図７を用いて、上ハーフシェル１０の内面に設けた段差を有するリブ１２、１３及び下ハーフシェル２０の内面に設けた段差を有するリブ２２、２３による遮光を説明する。図７に示すように下ハーフシェル２０の内面にディスク状記録媒体の外周側を囲む略円形状の段差を有するリブ２２とさらに、その段差を有するリブ２２の外周に略円形状の段差を有するリブ２３を有し、かつ、段差を有するリブ２２の高さが段差を有するリブ２３より高くした構造としている。一方、図６に示すように上ハーフシェル１０の内面には下ハーフシェル２０の段差を有するリブ２２，２３に対向する位置に段差を有するリブ１２，１３を有しており、さらに、段差を有するリブ１３は段差を有するリブ１２より高い構造としている。そして上ハーフシェル１０と下ハーフシェル２０を合わせて一体化する際に段差を有するリブ２２と段差を有するリブ１２、段差を有するリブ２３と段差を有するリブ１３の各々のリブの先端面で接する構造としている。その構造とすることによって、上下ハーフシェル内面の係合部からの外部光の侵入を防止できる。尚、前述のリブは段差を設けずにディスク状記録媒体の外周側を囲む略円形状のリブとさらに、前記リブの外周に設けた略円形状のリブの高さを変える構造にしても遮光効果があり、遮光性の度合いに応じて選択すればよい。
【００２４】
本発明のディスクカートリッジの上ハーフシェル１０及び下ハーフシェル２０には一般的な遮光性付与技法として、カーボンブラックで黒着色したポリカーボネート樹脂を使用しケース本体に遮光性を付与できる。また、シャッタ３０には、カーボンブラックで黒着色したアクリロニトリル・スチレン・ブタジエン共重合樹脂（ＡＢＳ）、ポリアセタール樹脂（ＰＯＭ）等を使用しシャッタに遮光性を付与できる。
【図面の簡単な説明】
【００２５】
【図１】本発明のディスクカートリッジの一実施形態の斜視図である。
【図２】本発明のディスクカートリッジの上ハーフシェル側からのシャッタ閉状態を示す正面図である。
【図３】本発明のディスクカートリッジのシャッタ開状態を示す背面図である。
【図４】図２のＡ−Ａ線における断面図である。
【図５】図２のＢ−Ｂ線における断面図である。
【図６】図２のＣ−Ｃ線における断面図である。
【図７】下ハーフシェルの構造を説明するために一部を示した斜視図である。
【符号の説明】
【００２６】
１                        ディスクカートリッジ
２                        ケース本体
３                        前側端縁
４                        ディスク状記録媒体
１０                      上ハーフシェル
１１                      駆動軸挿入窓
１２、１３、２２、２３、  段差を有するリブ
１４                      傾斜部
２０                      下ハーフシェル
２１                      駆動軸挿入窓及びヘッドアクセス窓
３０                      シャッタ
３１                      凸状リブ
３２                      シャッタの閉方向側の端部
３３                      シャッタの開方向側の端部
３４                      自由端部
４０                      シャッタ押え板
４１                      窓
４２                      シャッタ閉状態における閉方向側の端部近傍
４３                      シャッタ開状態の開方向側の端部と閉方向側の端部の中位点近傍
４４                      凸部
４５                      シャッタ開方向側の端縁近傍
４６                      傾斜部
Ｓ                      閉位置
Ｏ                      開位置
【図１】
2006318558.tif 000003
【図２】
2006318558.tif 000004
【図３】
2006318558.tif 000005
【図４】
2006318558.tif 000006
【図５】
2006318558.tif 000007
【図６】
2006318558.tif 000008
【図７】
2006318558.tif 000009